(57)【特許請求の範囲】
【請求項１】
ホッピングパラメータを含み、サウンディング参照信号（Sounding Reference Signal：ＳＲＳ）伝送に関連する信号を少なくとも１つのユーザ装置に送信することと、
周波数ホッピング用の構成情報を部分帯域レベルで送信することと、
前記信号に従って前記少なくとも１つのユーザ装置からＳＲＳ伝送を受信することと、を含む方法であって、
少なくとも１つのヌメロロジー用に少なくとも１つのサブセットが送信され、
１つの特定のヌメロロジーに対するサブセット内で個別ホッピングが実行されること、及び、異なるＳＲＳリソースが異なるヌメロロジー用に構成される場合は、前記サブセットはＳＲＳリソースごとに定義され、前記ＳＲＳリソースごとに個別ホッピングが実行されること、のいずれかを含み、
前記少なくとも一つのユーザ装置が、複数の部分帯域間でホッピングを行うホッピング有効化モードで動作するように構成されるべく、開始位置と帯域幅とを含む１つまたは複数の部分帯域構成信号が各部分帯域に対して送信され、部分帯域ホッピング有効化信号が送信される、
方法。
【請求項２】
ホッピングパラメータを含み、サウンディング参照信号（Sounding Reference Signal：ＳＲＳ）伝送に関連する信号を少なくとも１つのユーザ装置に送信することと、
部分帯域ごとに、周波数ホッピング用の構成情報を送信することと、
前記信号に従って前記少なくとも１つのユーザ装置からＳＲＳ伝送を受信することと、
を含む方法であって、
少なくとも１つのヌメロロジー用に少なくとも１つのサブセットが送信され、
１つの特定のヌメロロジーに対するサブセット内で個別ホッピングが実行されること、及び、異なるＳＲＳリソースが異なるヌメロロジー用に構成される場合は、前記サブセットはＳＲＳリソースごとに定義され、前記ＳＲＳリソースごとに個別ホッピングが実行されること、のいずれかを含み、
部分帯域ごとに、構成されたＳＲＳ帯域幅ＣＳＲＳおよびＢＳＲＳを含むＳＲＳホッピング帯域幅情報が送信されるか、又は、部分帯域ごとに、ホッピング粒度と、ホッピングユニットの開始位置と、ホッピング帯域幅ｂｈｏｐとが構成される、
方法。
【請求項３】
サブセットを構成するユニットは、１サブフレーム、１ＯＦＤＭシンボル、および１ＯＦＤＭシンボル内の複数のＰＲＢ又はＲＥ、のうちの１つである、請求項１又は２に記載の方法。
【請求項４】
ＴＲＰ又はセルをまたいだＳＲＳ受信のために、前記ＴＲＰ又はセル間においてヌメロロジー固有のサブセット情報が交換される、請求項１から３のいずれかに記載の方法。
【請求項５】
ホッピングパターン用の構成が部分帯域レベルで送信され、前記構成は、部分帯域間のホッピングシーケンスと、異なる部分帯域間の伝送数の割合とを含む、請求項１に記載の方法。
【請求項６】
前記部分帯域内の一部の周波数リソースがＳＲＳ伝送に使用されない場合、周波数リソース制限シグナリングがホッピングユニットレベルで送信される、請求項２に記載の方法。
【請求項７】
ＳＲＳがビーム管理用に用いられる場合、複数の時間インスタンスがホッピング用に構成される、請求項１から６のいずれかに記載の方法。
【請求項８】
処理手段及び記憶手段を備える装置であって、前記記憶手段はプログラム命令を格納し、前記プログラム命令は、前記処理手段に実行されると、前記装置に、請求項１から７のいずれかに記載の方法を遂行させるように構成される、装置。
【請求項９】
ホッピングパラメータを含み、サウンディング参照信号（Sounding Reference Signal：ＳＲＳ）伝送に関連する信号を少なくとも１つのユーザ装置に送信する手段と、
周波数ホッピング用の構成情報を部分帯域レベルで送信する手段と、
前記信号に従って前記少なくとも１つのユーザ装置からＳＲＳ伝送を受信する手段と、
を備える装置であって、
少なくとも１つのヌメロロジー用に少なくとも１つのサブセットが送信され、
１つの特定のヌメロロジーに対するサブセット内で個別ホッピングが実行されること、及び、異なるＳＲＳリソースが異なるヌメロロジー用に構成される場合、前記サブセットはＳＲＳリソースごとに定義され、前記ＳＲＳリソースごとに個別ホッピングが実行されること、のいずれかを含み、
前記少なくとも一つのユーザ装置が、複数の部分帯域間でホッピングを行うホッピング有効化モードで動作するように構成されるべく、開始位置と帯域幅とを含む１つまたは複数の部分帯域構成信号が各部分帯域に対して送信され、部分帯域ホッピング有効化信号が送信される、
装置。
【請求項１０】
ホッピングパラメータを含み、サウンディング参照信号（Sounding Reference Signal：ＳＲＳ）伝送に関連する信号を少なくとも１つのユーザ装置に送信する手段と、
部分帯域ごとに、周波数ホッピング用の構成情報を送信する手段と、
前記信号に従って前記少なくとも１つのユーザ装置からＳＲＳ伝送を受信する手段と、
を備える装置であって、
少なくとも１つのヌメロロジー用に少なくとも１つのサブセットが送信され、
１つの特定のヌメロロジーに対するサブセット内で個別ホッピングが実行されること、及び、異なるＳＲＳリソースが異なるヌメロロジー用に構成される場合、前記サブセットはＳＲＳリソースごとに定義され、前記ＳＲＳリソースごとに個別ホッピングが実行されること、のいずれかを含み、
部分帯域ごとに、構成されたＳＲＳ帯域幅ＣＳＲＳおよびＢＳＲＳを含むＳＲＳホッピング帯域幅情報が送信されるか、又は、部分帯域ごとに、ホッピング粒度と、ホッピングユニットの開始位置と、ホッピング帯域幅ｂｈｏｐとが構成される、
装置。
【請求項１１】
装置の処理手段に実行されると、前記装置に、請求項１から７のいずれかに記載の方法を遂行させるように構成されるプログラム命令を備える、コンピュータプログラム。
【請求項１２】
ホッピングパラメータを含み、サウンディング参照信号（Sounding Reference Signal：ＳＲＳ）伝送に関連する信号をｇＮＢから受信することと、
周波数ホッピング用の構成情報を部分帯域レベルで受信することと、
前記信号に従ってＳＲＳ伝送を前記ｇＮＢに送信することと、を含む方法であって、
少なくとも１つのヌメロロジー用少なくとも１つのサブセットがに送信され、
１つの特定のヌメロロジーに対するサブセット内で個別ホッピングが実行されること、及び、異なるＳＲＳリソースが異なるヌメロロジー用に構成される場合は、前記サブセットはＳＲＳリソースごとに定義され、前記ＳＲＳリソースごとに個別ホッピングが実行されること、のいずれかを含み、  前記方法は、
各部分帯域について、開始位置と帯域幅とを含む１つまたは複数の部分帯域構成信号を受信することと、
部分帯域ホッピング有効化信号を受信することと、
ホッピング有効化モードにおいて複数の部分帯域間でホッピングを行うことと、
を更に含む、方法。
【請求項１３】
ホッピングパラメータを含み、サウンディング参照信号（Sounding Reference Signal：ＳＲＳ）伝送に関連する信号をｇＮＢから受信することと、
部分帯域ごとに、周波数ホッピング用の構成情報を受信することと、
前記信号に従ってＳＲＳ伝送を前記ｇＮＢに送信することと、
を含む方法であって、
少なくとも１つのヌメロロジー用に少なくとも１つのサブセットが送信され、
１つの特定のヌメロロジーに対するサブセット内で個別ホッピングが実行されること、及び、異なるＳＲＳリソースが異なるヌメロロジー用に構成される場合は、前記サブセットはＳＲＳリソースごとに定義され、前記ＳＲＳリソースごとに個別ホッピングが実行されること、のいずれかを含み、
部分帯域ごとに、構成されたＳＲＳ帯域幅ＣＳＲＳおよびＢＳＲＳを含むＳＲＳホッピング帯域幅情報が受信されるか、又は、部分帯域ごとに、ホッピング粒度と、ホッピングユニットの開始位置と、ホッピング帯域幅ｂｈｏｐとが構成される、
方法。
【請求項１４】
サブセットを構成するユニットは、１サブフレーム、１ＯＦＤＭシンボル、および１ＯＦＤＭシンボル内の複数のＰＲＢ又はＲＥ、のうちの１つである、請求項１２又は１３に記載の方法。
【請求項１５】
ＴＲＰ又はセルをまたいだＳＲＳ受信のために、前記ＴＲＰ又はセル間においてヌメロロジー固有のサブセット情報が交換される、請求項１２から１４のいずれかに記載の方法。
【請求項１６】
部分帯域レベルでホッピングパターン用の構成が受信され、前記構成は、部分帯域間のホッピングシーケンスと、異なる部分帯域間の伝送数の割合とを含む、請求項１２に記載の方法。
【請求項１７】
前記部分帯域内の一部の周波数リソースがＳＲＳ伝送に使用されない場合、周波数リソース制限シグナリングがホッピングユニットレベルで受信される、請求項１３に記載の方法。
【請求項１８】
ＳＲＳがビーム管理用に用いられる場合、複数の時間インスタンスがホッピング用に構成される、請求項１２から１７のいずれかに記載の方法。
【請求項１９】
処理手段及び記憶手段を備える装置であって、前記記憶手段はプログラム命令を格納し、前記プログラム命令は、前記処理手段に実行されると、前記装置に、請求項１２から１８のいずれかに記載の方法を遂行させるように構成される、装置。
【請求項２０】
ホッピングパラメータを含み、サウンディング参照信号（Sounding Reference Signal：ＳＲＳ）伝送に関連する信号をｇＮＢから受信する手段と、
周波数ホッピング用の構成情報を部分帯域レベルで受信する手段と、
前記信号に従ってＳＲＳ伝送を前記ｇＮＢに送信する手段と、
を備える装置であって、
少なくとも１つのヌメロロジー用に少なくとも１つのサブセットが送信され、
１つの特定のヌメロロジーに対するサブセット内で個別ホッピングが実行されること、及び、異なるＳＲＳリソースが異なるヌメロロジー用に構成される場合、前記サブセットはＳＲＳリソースごとに定義され、前記ＳＲＳリソースごとに個別ホッピングが実行されること、のいずれかを含み、
前記装置は更に、
各部分帯域について、開始位置と帯域幅とを含む１つまたは複数の部分帯域構成信号を受信する手段と、
部分帯域ホッピング有効化信号を受信する手段と、
ホッピング有効化モードにおいて複数の部分帯域間でホッピングを行う手段と、
を備える、装置。
【請求項２１】
ホッピングパラメータを含み、サウンディング参照信号（Sounding Reference Signal：ＳＲＳ）伝送に関連する信号をｇＮＢから受信する手段と、
部分帯域ごとに、周波数ホッピング用の構成情報を受信する手段と、
前記信号に従ってＳＲＳ伝送を前記ｇＮＢに送信する手段と、
を備える装置であって、
少なくとも１つのヌメロロジー用に少なくとも１つのサブセットが送信され、
１つの特定のヌメロロジーに対するサブセット内で個別ホッピングが実行されること、及び、異なるＳＲＳリソースが異なるヌメロロジー用に構成される場合、前記サブセットはＳＲＳリソースごとに定義され、前記ＳＲＳリソースごとに個別ホッピングが実行されること、のいずれかを含み、
部分帯域ごとに、構成されたＳＲＳ帯域幅ＣＳＲＳおよびＢＳＲＳを含むＳＲＳホッピング帯域幅情報が受信されるか、又は、部分帯域ごとに、ホッピング粒度と、ホッピングユニットの開始位置と、ホッピング帯域幅ｂｈｏｐとが構成される、
装置。
【請求項２２】
装置の処理手段に実行されると、前記装置に、請求項１２から１８のいずれかに記載の方法を遂行させるように構成されるプログラム命令を備える、コンピュータプログラム。
【発明の詳細な説明】
【技術分野】
【０００１】
本開示は、大規模多入力多出力（Massive Multi-Input Mulit-Output：ｍ−ＭＩＭＯ）をサポートする５Ｇワイヤレスシステムに関する。このようなシステムは、より多数のアンテナの使用、より正確なビームフォーミング、およびより大きいアンテナゲインという特徴を有する。より具体的には、本開示は、１つまたは複数の部分帯域を用いるＳＲＳのためのＳＲＳ周波数ホッピング、送信側と受信側の一方または両方における柔軟なプリコーディングまたはビームフォーミング、およびＳＲＳ伝送用の様々なヌメロロジー（Ｎｕｍｅｒｏｌｏｇｙ）に関する。
【背景】
【０００２】
ＬＴＥシステムでは、１つのＵＥのサウンディング（Sounding）帯域幅を決定するために、セル固有のＳＲＳ帯域幅構成パラメータＣＳＲＳおよびＵＥ固有のＳＲＳ帯域幅パラメータＢＳＲＳを用いる。各サウンディング帯域幅構成ＢＳＲＳのサウンディングユニットには、図１に示すようにツリー構造が用いられる。ＵＥとｇＮＢとの間の距離、ＵＥの能力などにより、ＵＥごとに柔軟なサウンディング帯域幅を構成することができる。チャネル推定品質を保証するために、４つのＰＲＢが最小サウンディングユニット（Sounding Unit）およびホッピング粒度（Hopping Granularity）として用いられる。ＵＥ側、特にセル端のＵＥにおける電力の限界のため、より小さい帯域幅のサウンディングを複数回行うことによってより大きい帯域幅をサウンディングするために、周波数ホッピングを用いることができる。周波数領域内の開始位置は、上位層のシグナリングｎＲＲＣによりサウンディングユニットレベルで構成される。ＵＥ間におけるＳＲＳの衝突を防ぐために、異なる開始位置を構成することができる。ＳＲＳの周波数ホッピングが有効でない場合、周波数位置インデックスは、再構成されないかぎり一定のままである。ＳＲＳの周波数ホッピングが有効である場合、ＴＳ３６．２１１のサブセクション５．５．３．２に詳細に規定されているパターンまたは関数に従って、周波数場所がホッピングされる。ＳＲＳ伝送機会は、サブフレームインデックスおよびＵＥ固有のＳＲＳ周期性によって決定されるｎＳＲＳによりカウントされる。ホッピングによる周波数場所は、カウンタパラメータｎＳＲＳおよびホッピングパターンまたは関数によって決定される。非周期的なＳＲＳ伝送では、周波数ホッピングはサポートされていない。
【０００３】
ＳＲＳホッピングは現在議論されている注目の課題である。例えば、３ＧＰＰ  ＲＡＮ１  ８７アドホック会合において、構成された周波数ホッピングがＮＲのＳＲＳ伝送用にサポートされることが合意されたが、詳細についてはさらなる研究が必要である。３ＧＰＰ  ＲＡＮ１  ８８会合では、部分帯域内におけるＳＲＳ周波数ホッピングのサポートが合意されたが、部分帯域間のホッピングに関してはさらなる研究が必要である。
【０００４】
本開示において、ＳＲＳ伝送用の利用可能な１つまたは複数の部分帯域構成、送信および／または受信側の両方における柔軟なプリコーディング／ビームフォーミング、複数のヌメロロジー、ビームペアのために、拡張されたＳＲＳホッピング方式が提案されている。
【０００５】
５Ｇ  ＮＲにおいては、ＬＴＥシステムでは考慮されていない複数のヌメロロジーおよびビームを用いる状況のために、柔軟なＳＲＳホッピング機構を検討する必要がある。注目すべき問題は以下のとおりである。
【０００６】
１）  複数の部分帯域におけるＳＲＳホッピング
ＲＡＮ１  ８６ｂ会合およびＲＡＮ１  ８７会合の結論から、構成可能なＳＲＳ帯域幅をＮＲにおいてサポートすることが合意された。１つのＵＥに対して複数の部分帯域を構成可能であり、部分帯域のサイズが構成可能である。したがって、ＳＲＳホッピング機構では、複数の部分帯域によるＳＲＳ構成を検討する必要がある。複数の部分帯域におけるＳＲＳホッピングでは、部分帯域レベルのホッピング方式を検討する必要がある。
【０００７】
複数の部分帯域におけるＳＲＳホッピングでは、ホッピング方式は２つのホッピングモードで実行することができる。第１ホッピングモードでは、１つのＳＲＳサウンディングユニットは、１つの部分帯域からの周波数リソースのみにおいて伝送される。これは下位互換性が良好であり、１つの部分帯域内でＬＴＥホッピング方式を再利用できる。第２ホッピングモードでは、１つのＳＲＳサウンディングユニットを、複数の部分帯域からの周波数リソースにおいて伝送することができる。１つのサウンディングで複数の部分帯域のアップリンクＣＳＩを取得でき、特に大きなサウンディング帯域幅構成の場合にいくらかの柔軟性が得られる。ただし、非連続的な伝送によりＰＡＲＰが増加するため、第２ホッピングモードをサポートするかどうかはＵＥの能力次第である。両方のホッピングモード用に統合されたホッピングパターン設計を検討することができる。
【０００８】
複数の部分帯域におけるＳＲＳホッピングのために、複数の帯域におけるＳＲＳオーバヘッド、サウンディング遅延、および利用可能なＣＳＩのバランスをうまくとって柔軟なホッピング粒度をサポートする必要がある。ＳＲＳホッピング方式の設計のために、部分帯域ごとに、個別の帯域幅およびサウンディング粒度をサポートする必要がある。また、上位互換性のために一部の周波数リソースが特定の用途に予約されているホッピングの場合、周波数リソース制限の問題をさらに検討できる。
【０００９】
２）  複数の機能を有するＳＲＳ用のＳＲＳホッピング
ＳＲＳは、ＣＳＩ取得および５Ｇ  ＮＲにおけるＵＬビーム管理の機能用に伝送することができる。ＬＴＥのＳＲＳホッピング方式は、ＣＳＩ取得の機能を有するＳＲＳのためにのみ設計されており、ＳＲＳ伝送機会に対してＳＲＳが連続的にホッピングされる。ＵＬビーム管理の機能を有するＳＲＳでは、１回のスキャン後に周波数ホッピングを実行することができる。この場合、ビームスキャニングの送受信に複数のシンボル／サブフレームが用いられる。これら２種類のＳＲＳ用のホッピングを統合するには、時間周波数二次元ホッピングユニットを検討することができる。
【００１０】
本発明はこれらの問題に対応している。本発明では拡張されたＳＲＳホッピング方式を提案しており、複数のヌメロロジーまたはビーム、１つまたは複数の部分帯域、および柔軟なプリコーディングまたはビームフォーミングによるＳＲＳ伝送について検討している。
【摘要】
【００１１】
本発明の第１の態様において、方法は、ホッピングパラメータを含み、サウンディング参照信号（Sounding Reference Signal：ＳＲＳ）伝送に関連する信号を少なくとも１つのユーザ装置に送信することと、前記信号に従って前記少なくとも１つのユーザ装置からＳＲＳ伝送を受信することと、を含む。前記送信することにおいて、少なくとも１つのサブセット／ＳＲＳリソースが少なくとも１つのヌメロロジー／ビームペア用に送信され、１つの特定のヌメロロジー／ビームペアに対する各サブセット内で個別ホッピングが実行されるか、または、異なるＳＲＳリソースが異なるヌメロロジー／ビーム用に構成される場合、前記サブセットはＳＲＳリソースごとに定義され、前記ＳＲＳリソースごとに個別ホッピングが実行される。
【００１２】
本発明の第２の態様において、装置は、少なくとも１つのプロセッサと、コンピュータプログラムコードを含む少なくとも１つのメモリとを備える。前記少なくとも１つのメモリおよび前記コンピュータプログラムコードは、前記少なくとも１つのプロセッサによって、ホッピングパラメータを含み、サウンディング参照信号（Sounding Reference Signal：ＳＲＳ）伝送に関連する信号を少なくとも１つのユーザ装置に送信することと、前記信号に従って前記少なくとも１つのユーザ装置からＳＲＳ伝送を受信することと、を前記装置にさせるように構成される。前記送信することにおいて、少なくとも１つのサブセット／ＳＲＳリソースが少なくとも１つのヌメロロジー／ビームペア用に送信され、１つの特定のヌメロロジー／ビームペアに対する各サブセット内で個別ホッピングが実行されるか、または、異なるＳＲＳリソースが異なるヌメロロジー／ビーム用に構成される場合、前記サブセットはＳＲＳリソースごとに定義され、前記ＳＲＳリソースごとに個別ホッピングが実行される。
【００１３】
本発明の第３の態様において、装置は、ホッピングパラメータを含み、サウンディング参照信号（Sounding Reference Signal：ＳＲＳ）伝送に関連する信号を少なくとも１つのユーザ装置に送信する手段と、前記信号に従って前記少なくとも１つのユーザ装置からＳＲＳ伝送を受信する手段と、を備える。前記送信する手段において、少なくとも１つのサブセット／ＳＲＳリソースが少なくとも１つのヌメロロジー／ビームペア用に送信され、１つの特定のヌメロロジー／ビームペアに対する各サブセット内で個別ホッピングが実行されるか、または、異なるＳＲＳリソースが異なるヌメロロジー／ビーム用に構成される場合、前記サブセットはＳＲＳリソースごとに定義され、前記ＳＲＳリソースごとに個別ホッピングが実行される。
【００１４】
本発明の第４の態様において、メモリは、非一時的コンピュータ可読記憶媒体を含み、前記非一時的コンピュータ可読記憶媒体は、前記メモリ内で具体化されコンピュータによって用いられるコンピュータプログラムコードを含む。前記コンピュータプログラムコードは、ホッピングパラメータを含み、サウンディング参照信号（Sounding Reference Signal：ＳＲＳ）伝送に関連する信号を少なくとも１つのユーザ装置に送信し、前記信号に従って前記少なくとも１つのユーザ装置からＳＲＳ伝送を受信するためのコードを含む。前記送信において、少なくとも１つのサブセット／ＳＲＳリソースが少なくとも１つのヌメロロジー／ビームペア用に送信され、１つの特定のヌメロロジー／ビームペアに対する各サブセット内で個別ホッピングが実行されるか、または、異なるＳＲＳリソースが異なるヌメロロジー／ビーム用に構成される場合、前記サブセットはＳＲＳリソースごとに定義され、前記ＳＲＳリソースごとに個別ホッピングが実行される。
【００１５】
本発明の第５の態様において、方法は、ホッピングパラメータを含み、サウンディング参照信号（Sounding Reference Signal：ＳＲＳ）伝送に関連する信号をｇＮＢから受信することと、前記信号に従ってＳＲＳ伝送を前記ｇＮＢに送信することと、を含む。前記受信することにおいて、少なくとも１つのサブセット／ＳＲＳリソースが少なくとも１つのヌメロロジー／ビームペア用に送信され、１つの特定のヌメロロジー／ビームペアに対する各サブセット内で個別ホッピングが実行されるか、または、異なるＳＲＳリソースが異なるヌメロロジー／ビーム用に構成される場合、前記サブセットはＳＲＳリソースごとに定義され、前記ＳＲＳリソースごとに個別ホッピングが実行される。
【００１６】
本発明の第６の態様において、装置は、少なくとも１つのプロセッサと、コンピュータプログラムコードを含む少なくとも１つのメモリとを備える。前記少なくとも１つのメモリおよび前記コンピュータプログラムコードは、前記少なくとも１つのプロセッサによって、ホッピングパラメータを含み、サウンディング参照信号（Sounding Reference Signal：ＳＲＳ）伝送に関連する信号をｇＮＢから受信することと、前記信号に従ってＳＲＳ伝送を前記ｇＮＢに送信することと、を前記装置にさせるように構成される。前記受信することにおいて、少なくとも１つのサブセット／ＳＲＳリソースが少なくとも１つのヌメロロジー／ビームペア用に送信され、１つの特定のヌメロロジー／ビームペアに対する各サブセット内で個別ホッピングが実行されるか、または、異なるＳＲＳリソースが異なるヌメロロジー／ビーム用に構成される場合、前記サブセットはＳＲＳリソースごとに定義され、前記ＳＲＳリソースごとに個別ホッピングが実行される。
【００１７】
本発明の第７の態様において、装置は、ホッピングパラメータを含み、サウンディング参照信号（Sounding Reference Signal：ＳＲＳ）伝送に関連する信号をｇＮＢから受信する手段と、前記信号に従ってＳＲＳ伝送を前記ｇＮＢに送信する手段と、を備える。前記受信する手段において、少なくとも１つのサブセット／ＳＲＳリソースが少なくとも１つのヌメロロジー／ビームペア用に送信され、１つの特定のヌメロロジー／ビームペアに対する各サブセット内で個別ホッピングが実行されるか、または、異なるＳＲＳリソースが異なるヌメロロジー／ビーム用に構成される場合、前記サブセットはＳＲＳリソースごとに定義され、前記ＳＲＳリソースごとに個別ホッピングが実行される。
【００１８】
本発明の第８の態様において、メモリは、非一時的コンピュータ可読記憶媒体を含み、前記非一時的コンピュータ可読記憶媒体は、前記メモリ内で具体化されコンピュータによって用いられるコンピュータプログラムコードを含む。前記コンピュータプログラムコードは、ホッピングパラメータを含み、サウンディング参照信号（Sounding Reference Signal：ＳＲＳ）伝送に関連する信号をｇＮＢから受信し、前記信号に従ってＳＲＳ伝送を前記ｇＮＢに送信するためのコードを含む。前記受信において、少なくとも１つのサブセット／ＳＲＳリソースが少なくとも１つのヌメロロジー／ビームペア用に送信され、１つの特定のヌメロロジー／ビームペアに対する各サブセット内で個別ホッピングが実行されるか、または、異なるＳＲＳリソースが異なるヌメロロジー／ビーム用に構成される場合、前記サブセットはＳＲＳリソースごとに定義され、前記ＳＲＳリソースごとに個別ホッピングが実行される。
【図面の簡単な説明】
【００１９】
これらの教示における前述およびその他の態様は、添付する図面と併せて読むと、以下の詳細な説明においてより明らかになる。
【図１】図１は、ＬＴＥシステムにおける複数の構成のサウンディング帯域幅のツリー構造の図である。
【図２】図２は、異なるヌメロロジー／ビーム用のサブセット／ＳＲＳリソース内における個別のＳＲＳホッピングの例を示す図である。
【図３Ａ】図３Ａは、部分帯域レベルのＳＲＳホッピングパターンの図である。
【図３Ｂ】図３Ｂは、２つのホッピングモードにおける部分帯域レベルのＳＲＳホッピングパターンの図である。
【図４】図４は、時間周波数二次元ホッピングユニットの図である。
【図５】図５は、ＳＲＳホッピングにおけるホッピングユニットレベルの周波数制限の図である。
【図６】図６は、本発明の様々な例示的実施形態による特定の装置の単純なブロック図である。
【詳細説明】
【００２０】
前述のとおり、本発明の目的は、複数のヌメロロジー／ビーム、１つまたは複数の部分帯域、および柔軟なプリコーディングまたはビームフォーミングを含む可能性のある状況に柔軟なサウンディングを提供することができる、拡張されたＳＲＳホッピング方式を提供することである。ここで提案する方式では、以下の態様について説明する。
１）  複数のヌメロロジーおよびビームペアによるＳＲＳ伝送用のＳＲＳホッピング方式、
２）  複数のホッピングモードをサポートする統合された柔軟なＳＲＳホッピング方式、
３）  ＣＳＩ取得およびビーム管理用ＳＲＳのホッピングのための統合された二次元サウンディングユニット、および
４）  利用可能なサウンディングホッピングユニットに対するリソース制限によるＳＲＳホッピング用の柔軟なリソース構成
【００２１】
１）  異なるヌメロロジー／ビームによるＳＲＳ用の個別ホッピング
ＮＲは、ＳＲＳ伝送用に異なるヌメロロジー／ビームをサポートする。このことは、ホッピング方式の詳細に影響を及ぼす。ＬＴＥシステムにおける従来の周波数ホッピング機構を用いる場合、実際のヌメロロジー／ビームに関係なく、利用可能なＳＲＳ伝送機会においてホッピングが連続的に実行される。構成された周波数領域内の完全なＣＳＩをすべてのヌメロロジー／ビームに対して提供することは保証されない。
【００２２】
利用可能なヌメロロジー／ビームのスケジューリングに十分なＣＳＩ情報を提供するために、ＳＲＳ伝送の異なるサブセットにおいて個別ホッピングを実行できるようにすることを提案する。この場合、異なるサブセットに個別のＳＲＳ構成を用いることができる。１つのサブセットにおいて、１つの特定のヌメロロジー／ビームがＳＲＳ伝送に用いられる。例として、図２に示すように、異なるヌメロロジー／ビームによるＳＲＳ伝送に異なるサブセットが用いられる。ＳＲＳホッピングは、対応する構成に従って各サブセット内で個別に実行される。ＳＲＳ伝送用のサブセットを構成するユニットは、サブフレーム、ＯＦＤＭシンボル、または１つのＯＦＤＭシンボル内のいくつかの定義済みＰＲＢ／リソース要素であってもよい。異なるヌメロロジー／ビームに対し、異なるＳＲＳリソースを構成することができる。ＳＲＳリソースごとにサブセットを定義すると、ＳＲＳリソースごとに個別ホッピングを実行することができる。また、ＴＲＰ（送受信ポイント）／セルをまたいだＳＲＳ受信を保証するために、ＴＲＰ／セル間でヌメロロジー／ビーム固有のサブセット情報を交換する必要がある。
【００２３】
２）  複数の部分帯域用のＳＲＳホッピングパターン設計
ＵＥが複数の部分帯域と共に構成される場合、柔軟なホッピングのために１つまたは複数の部分帯域を有効にすることができる。複数の部分帯域におけるＳＲＳホッピングでは、２つのレベルのホッピングを用いることができる。第１レベルは部分帯域間のホッピングであり、第２レベルは部分帯域内の周波数ホッピングである。第２レベルホッピングでは、ＬＴＥシステムにおける従来の方式を再利用できる。部分帯域ごとに、開始位置およびホッピング粒度を個別に構成できる。第１レベルホッピングでは、部分帯域レベルのホッピングパターンを指定する必要がある。
【００２４】
ＳＲＳホッピングパターンを部分帯域レベルで設計する場合、以下の作業上の想定がなされる。１．部分帯域の数が構成され、ある程度大きい値をサポートすることができる。２．部分帯域の帯域幅を構成することができ、異なる部分帯域は異なる帯域幅を有してもよい。３．部分帯域ごとのホッピング粒度は、同じであっても異なってもよい。
【００２５】
複数の部分帯域に対する柔軟なホッピングをサポートするために、実際の要件に従って以下の２つのホッピングモードを構成することができる。
【００２６】
モード１：１つの部分帯域のみのＰＲＢが１つのＳＲＳ伝送に用いられる、部分帯域交互ホッピング。
このホッピングモードは、すべての部分帯域の完全なＣＳＩを取得するために用いられる。チャネル状態情報の統計を取得する場合、部分帯域レベルのホッピングを無効にすることができ、チャネル品質の良好な帯域のみにおいてＳＲＳが伝送される。これは当然のことながら、１つの帯域／部分帯域による従来のホッピング機構と同様である。
【００２７】
モード２：複数の部分帯域のＰＲＢを１つのＳＲＳ伝送に用いることができる、部分帯域インターリーブホッピング。
このホッピングモードは、複数の部分帯域における同時伝送によって生じる比較的高いＰＡＰＲをＵＥがサポートできる場合、１回のサウンディングで複数の部分帯域のＣＳＩを迅速に取得するために用いられる。複数の部分帯域によってもたらされる良好な周波数ダイバーシティ特性は、特にＳＲＳ伝送数が少ない場合にスケジューリングまたは平均アップリンクチャネル品質の評価に利用することができる。このモードは、非周期的なマルチショットＳＲＳ伝送に用いることができる。
【００２８】
これら２つのホッピングモードをサポートするために、部分帯域レベルのＳＲＳホッピングパターンを定義する必要がある。具体的には、２つのホッピングモードのパターンを２つの構成パラメータによって統合することができる。これらの構成パラメータは、複数の部分帯域のホッピングシーケンスと、異なる部分帯域間の伝送数の割合である。ホッピングシーケンスの場合、複数の部分帯域におけるＳＲＳ伝送シーケンス（順序）を意味する。最適なホッピングシーケンスのための周波数ダイバーシティを達成するように、周波数空間を最大化することができる。部分帯域間の伝送数の割合の場合、部分帯域ごとのＳＲＳ伝送（サウンディング）数の割合を意味する。伝送数の割合は、部分帯域の順序、またはホッピングシーケンスに対応する順序で定義することができる。部分帯域の帯域幅および部分帯域ごとのホッピング粒度を構成として検討することができる。複数の部分帯域に対する均一のサウンディングを保証するために、同じホッピング粒度を用いる場合に、より広い帯域幅を有する部分帯域により多くのサウンディング機会を用いることができる。これら２つのパラメータを組み合わせることにより、ホッピングパターンの全体像を得ることができる。一例を、部分帯域レベルのホッピングパターンを示す図３Ａに示している。図３Ａでは、複数の部分帯域におけるホッピングシーケンスは部分帯域０、部分帯域２、部分帯域１、部分帯域３であり、４つの部分帯域がある。各部分帯域の帯域幅の割合が２：１：２：１であり、各部分帯域に同じホッピング粒度が用いられる場合、異なる部分帯域の伝送数の割合は２：１：２：１である。部分帯域レベルの最終的なＳＲＳホッピングパターンは、方式１では部分帯域０、部分帯域２、部分帯域１、部分帯域３、部分帯域０、部分帯域２であり、方式２では部分帯域０、部分帯域０、部分帯域２、部分帯域２、部分帯域１、部分帯域３である。方式１では、ホッピングは最初に部分帯域間の伝送に対して行われ、次に１つの部分帯域における複数の伝送に対して行われる。方式２では、ホッピングは最初に１つの部分帯域における複数の伝送に対して行われ、次に部分帯域間の伝送に対して行われる。図３Ｂに示す別の例では、ホッピングパターン［部分帯域１、部分帯域２、部分帯域１、部分帯域２］が両方のホッピングモードに用いられる。ホッピングモード１の場合は時間領域、ホッピングモード２の場合は周波数領域において、ホッピングパターンが定義される。
【００２９】
部分帯域ホッピング方式を用いる場合、以下の理論を検討することができる。
１．  ホッピングシーケンスを設計または構成する際に、周波数ダイバーシティが大きくなるように、異なるホップ間の周波数空間を最大化することができる。
２．  部分帯域間の伝送数の割合を構成する際に、複数の部分帯域に対し、部分帯域サウンディング全体にかかるサウンディング時間が同じであることを保証できる。スケジューリングのために、すべての部分帯域のＣＳＩを取得するとｇＮＢにとって有利である。
【００３０】
言うまでもなく、異なる部分帯域間のサウンディングの差は、各部分帯域の伝送数およびホッピング粒度によって示すことができる。例えば、ｇＮＢが特定の部分帯域に対してより多くの／高速なＣＳＩを取得する必要がある場合、その特定の部分帯域に、より細かなホッピング粒度および／またはより多くの伝送数を構成することができる。
【００３１】
この差分構成方法は、提案４におけるホッピングユニットレベル周波数リソース制限方式と共に用いることができる。例えば、ホッピング用の一部の周波数リソースが制限されると、制限されていない周波数リソースのサウンディング速度が速くなる。これは、周波数領域にディープフェージング／強い干渉がある場合に役立つ。ディープフェージング／強い干渉のある周波数領域の場合、データ伝送がないためＳＲＳ伝送の必要がない。異なる部分帯域ごとに異なる周波数リソース制限を構成することにより、不要なサウンディング領域を回避することによってサウンディング方式がより効率的になる。
【００３２】
３）  構成された時間周波数二次元ＳＲＳホッピングユニット
ＳＲＳは、アップリンクビーム管理のために伝送することができる。この場合、ビームの送信とビームスイーピングの受信とを含めて、ビームスイーピングのために複数回のＳＲＳ伝送を用いることができる。図４に示すように、４つのＯＦＤＭシンボルのＳＲＳがビームスイーピングに用いられる。異なるビームのチャネル品質を正しく比較するために、１回のビームスイーピング期間中に同じ周波数リソースのチャネル品質情報を取得する必要がある。したがって、ＳＲＳホッピングユニットの概念を時間周波数二次元にも適用することを提案する。つまり、１つのＳＲＳホッピングユニットは、複数のＳＲＳ伝送インスタンスにおける周波数リソースの一部を含む。この新たなＳＲＳホッピングユニット用に、そのホッピングユニットのＳＲＳ伝送インスタンスを構成できる。図４に示す例として、ＳＲＳは４つのＯＦＤＭシンボルを含む二次元ホッピングユニットによりホッピングする。
【００３３】
４）  サウンディングホッピングユニットに対する制限による柔軟なホッピング
５Ｇ  ＮＲでは、周波数リソースがより柔軟に利用される。上位互換性のために、周波数領域の一部の範囲を特定の用途向けに構成することができる。現在ＬＴＥシステムでは、ＳＲＳホッピングは構成された帯域幅内で行われる。構成された帯域幅内で周波数範囲の一部を回避することに関するホッピングの柔軟性はない。したがって、構成された帯域幅内の選択された周波数リソースにおいて柔軟なホッピングを行うために、任意のシグナリングの導入を提案する。異なる帯域幅構成におけるサウンディングユニットにツリー構造を用いると、利用可能な周波数場所を候補ホッピングユニットによって決定することができる。候補ホッピングユニットの数は、ホッピング帯域幅ｂｈｏｐ、および構成されたＳＲＳ帯域幅であるＣＳＲＳ、ＢＳＲＳ、部分帯域の帯域幅ＮＵＬＲＢによって決定される。一例として図５に示すように、候補ホッピングユニットの数はＮ０×Ｎ１×Ｎ２×Ｎ３＝１６である。ここで、ＬＴＥシステムからの構成パラメータに従いＣＳＲＳ＝１、ＢＳＲＳ＝３、ｂｈｏｐ＝０、６０≦ＮＵＬＲＢ≦８０である。提案する制限シグナリングは、候補ホッピングユニットのビットマップであってもよい。具体的には、対応する周波数リソースをＳＲＳ伝送に使用できない場合、ホッピングユニットのビット値を１に設定する。複数の部分帯域が構成される場合、提案する制限シグナリングは部分帯域固有になる。
【００３４】
前述の議論に鑑み、本発明は以下のことによって特徴付けられる。
１）  異なるヌメロロジー／ビーム用のサブセット／ＳＲＳリソース内における個別のＳＲＳホッピングの導入
ａ．  ＴＲＰ／セルをまたいだＳＲＳ受信のための、ＴＲＰ／セル間におけるヌメロロジー／ビーム固有のサブセット情報の交換
２）  ２つのホッピングモードをサポートするための、部分帯域レベルのＳＲＳホッピングパターン。ホッピングパターン用の構成パラメータは複数の部分帯域のホッピングシーケンスおよび伝送数の割合を含む。
３）  アップリンクビーム測定用に時間インスタンス長を構成可能な時間周波数二次元ＳＲＳホッピングユニット
４）  ＳＲＳホッピングにおけるホッピングユニットレベルの周波数リソース制限標示のシグナリング
【００３５】
本発明に従って、ｇＮＢは、ＳＲＳ伝送用のホッピングパラメータを含む関連するシグナリングをＵＥに送信する。ＵＥは、ｇＮＢの標示に従ってＳＲＳを伝送する。詳細な手順は以下のとおりである。
１．  ｇＮＢが、時間領域におけるＳＲＳ伝送パラメータを送信する。このパラメータは、ＵＥ固有のＳＲＳ周期性ＴＳＲＳと、サブフレームオフセット構成Ｔｏｆｆｓｅｔとを含む。
２．  ｇＮＢが、複数のヌメロロジー／ビームペア用の複数のサブセット／ＳＲＳリソースを送信する。
Ａ．  １つの特定のヌメロロジー／ビームペア用の各サブセット内で個別ホッピングが行われる。
Ｂ．  異なるヌメロロジー／ビーム用に異なるＳＲＳリソースが構成される場合、ＳＲＳリソースごとにリソースサブセットを定義でき、ＳＲＳリソースごとに個別ホッピングが行われる。
Ｃ．  ＳＲＳ伝送機会用のカウンタが、構成されたサブセット／ＳＲＳリソースごとに個別に作成されるべきである。
Ｄ．  サブセットを構成するユニットは、１サブフレームまたは１ＯＦＤＭシンボル、あるいは１ＯＦＤＭシンボル内の複数のＰＲＢ／ＲＥとすることができる。
Ｅ．  ＴＲＰ／セル間をまたいだＳＲＳ受信のために、ＴＲＰ／セル間においてヌメロロジー／ビーム固有のサブセット情報が交換される。
３．  ｇＮＢが、周波数ホッピング用の構成情報を部分帯域レベルで送信する。
Ａ．  ｇＮＢが、部分帯域ごとに、開始位置および帯域幅を含む、１つまたは複数の部分帯域構成シグナリングを送信する。
Ｂ．  ｇＮＢが、部分帯域ホッピング有効化シグナリングを送信する。ＵＥは、ホッピング有効化モードの部分帯域のみでホッピングを行う。それ以外の場合、ＵＥは、開始部分帯域でＳＲＳを伝送する。
Ｃ．  ｇＮＢが、ホッピングパターン用の構成を部分帯域レベルで送信する。この構成は、ホッピングモード、部分帯域間のホッピングシーケンス、および異なる部分帯域間の伝送数の割合を含む。
ｉ．  ホッピングシーケンスに対し、サウンディングユニット間の周波数空間を最大化する規則によって、別の選択肢を暗黙的に決定することができる。ホッピングシーケンスは、以下の表１に基づき、部分帯域数Ｍと、ホッピングの開始位置ｋとに従って決定することができる。
ｉｉ．  異なる部分帯域間の伝送数の割合は、部分帯域の帯域幅と、部分帯域ごとのホッピング粒度とに従って柔軟に構成することができる。
ｉｉｉ．  構成されたホッピングモードに対するホッピングパターンは、ホッピングシーケンスと伝送数の割合との組合せによって決定することできる。
0006879635.tif 000002
４．  ｇＮＢが、部分帯域ごとに、周波数ホッピング用の構成情報を送信する。
Ａ．  ｇＮＢが、部分帯域ごとに、構成されたＳＲＳ帯域幅ＣＳＲＳおよびＢＳＲＳを含むＳＲＳホッピング帯域幅情報を送信する。
Ｂ．  ｇＮＢが、部分帯域ごとに、ホッピング粒度と、ホッピングユニットの開始位置と、ホッピング帯域幅ｂｈｏｐとを構成する。
Ｃ  ＴＳ３６．２１１に規定されたＬＴＥホッピング機構に従ってホッピングパターンを決定できる。
Ｄ．  部分帯域内の一部の周波数リソースがＳＲＳ伝送に使用されない場合、ｇＮＢは周波数リソース制限シグナリングをホッピングユニットレベルで送信する。ホッピングによるＳＲＳ伝送は、制限された周波数リソースを回避する。
Ｅ．  ＳＲＳがビーム管理に用いられる場合、ｇＮＢはホッピング用に複数の時間インスタンスを構成する。この構成により、サウンディングユニットは複数の伝送インタスタンスに拡張される。ＳＲＳ伝送は１ビームスキャニング期間中はホッピングせず、１ビームスキャニング期間中は同じ周波数リソースが用いられる。
５．  ＵＥが、ｇＮＢの標示に従ってＳＲＳ伝送を行う。
【００３６】
本発明の拡張された電力制御方式により、いくつかの利点が得られる。この方式は異なるヌメロロジー／ビームペアに対するＳＲＳホッピングをサポートし、複数のホッピングモードをサポートするために部分帯域レベルの統合されたホッピングパターンを提供する。また、ビーム管理ＳＲＳ用の効果的なホッピング機構と、ＳＲＳホッピング用の柔軟な周波数リソース制限機構とを提供する。さらに、ＳＲＳホッピングにおけるＵＥの動作を、ｇＮＢシグナリング標示に従って変更してもよい。
【００３７】
ここで図６を参照し、本発明の例示的実施形態の実行に用いることが適切な、様々な電子デバイスおよび装置の単純なブロック図について説明する。図６において、ワイヤレスネットワーク１は、ワイヤレスネットワークアクセスノードを介して、ワイヤレスリンク１１によってある装置と通信するように適用されている。当該装置は移動通信デバイスなどであり、ＵＥ１０として示されており、当該ワイヤレスネットワークアクセスノードは基地局、中継局、ＲＲＨ（Remote Radio Head）などであり、より具体的にはｇＮｏｄｅＢ１２として示されている。ネットワーク１は、ネットワーク制御要素（Network Control Element：ＮＣＥ）１４を備えてもよい。ＮＣＥ１４は、モビリティ管理エンティティ（Mobility Management Entity：ＭＭＥ）として、および／または、例えば公衆交換電話／データネットワークおよび／またはインターネットなどのより広域のネットワークへのサービングゲートウェイ（Serving Gateway：Ｓ−ＧＷ）として機能する。
【００３８】
ＵＥ１０は、コンピュータまたはデータプロセッサ（Data Processor：ＤＰ）１０Ａなどのコントローラと、コンピュータ命令（ＰＲＯＧ）１０Ｃのプログラムを格納するメモリ（ＭＥＭ）１０Ｂとして体現されたコンピュータ可読メモリ媒体と、１つ以上のアンテナを介してｇＮｏｄｅＢ（ｇＮＢ）１２と双方向ワイヤレス通信を行うための適切な無線周波数（Radio Frequency：ＲＦ）送信機および受信機１０Ｄとを備える。ｇＮｏｄｅＢ１２も、コンピュータまたはデータプロセッサ（ＤＰ）１２Ａなどのコントローラと、コンピュータ命令（ＰＲＯＧ）１２Ｃのプログラムを格納するメモリ（ＭＥＭ）１２Ｂとして体現されたコンピュータ可読メモリ媒体と、１つ以上のアンテナを介してＵＥ１０と通信を行うための適切なＲＦ送信機および受信機１２Ｄとを備える。ｅＮｏｄｅＢ１２はデータ／制御経路１３を介してＮＣＥ１４に結合される。ネットワーク１がＬＴＥネットワークである場合、経路１３はＳ１インタフェースとして実装してもよい。ｇＮｏｄｅＢ１２はデータ／制御経路１５を介して別のｇＮｏｄｅＢに結合されてもよい。ネットワーク１がＬＴＥネットワークである場合、経路１５はＸ２インタフェースとして実装してもよい。
【００３９】
ＰＲＯＧ１０Ｃと１２Ｃの少なくとも一方はプログラム命令を含むと想定される。このプログラム命令は、関連するＤＰによって実行された場合、図２から図５に関連して、前記に詳述した本発明の例示的実施形態によりデバイスが動作することを可能にする。すなわち、本発明の例示的実施形態は、ＵＥ１０のＤＰ１０Ａおよび／またはｅＮｏｄｅＢ１２のＤＰ１２Ａにより実行可能なコンピュータソフトウェア、またはハードウェア、またはソフトウェアとハードウェア（およびファームウェア）の組合せにより、少なくとも部分的に実行されてもよい。
【００４０】
一般に、ＵＥ１０の様々な実施形態には、携帯電話、ワイヤレス通信機能を有する携帯情報端末（Personal Digital Assistant：ＰＤＡ）、ワイヤレス通信機能を有する携帯式コンピュータ、ワイヤレス通信機能を有する画像取得デバイス（デジタルカメラなど）、ワイヤレス通信機能を有するゲームデバイス、ワイヤレス通信機能を有する音楽記憶／再生機器、ワイヤレスインターネットアクセスおよび閲覧が可能なインターネット機器、および上記の機能の組合せを内蔵する携帯ユニットまたは端末を含むが、これらに限らない。
【００４１】
コンピュータ可読ＭＥＭ１０Ｂおよび１２Ｂは、ローカルの技術環境に適切な任意の種類のものであってよく、半導体ベースのメモリデバイス、フラッシュメモリ、磁気メモリデバイスおよびシステム、光学メモリデバイスおよびシステム、固定メモリおよび着脱可能メモリなどの、任意の適切なデータ格納技術を用いて実装されてもよい。ＤＰ１０Ａおよび１２Ａは、ローカルの技術環境に適切な任意の種類のものであってよく、非限定的な例として、汎用コンピュータ、専用コンピュータ、マイクロプロセッサ、デジタル信号プロセッサ（Digital Signal Processor：ＤＳＰ）、およびマルチコアプロセッサアーキテクチャベースのプロセッサの１つ以上を含んでもよい。
【００４２】
種々のＤＰ１０Ａ、１２Ａは１つ以上のプロセッサ／チップとして実装してもよく、ＵＥ１０とｇＮｏｄｅＢ１２の一方または両方は、複数の送信機および／または受信機１０Ｄ、１２Ｄを備えてもよく、特にｇＮｏｄｅＢ１２のアンテナは、ｇＮｏｄｅＢ１２の他の構成要素から離れた場所に、例えば塔に取り付けたアンテナとして設けられてもよいことに注意されたい。
【００４３】
一般に、様々な例示的実施形態は、ハードウェアまたは特定用途向け回路、ソフトウェア、ロジック、あるいはそれらの組合せとして実装されてもよい。例えば、いくつかの態様はハードウェアとして実装されてもよく、他の態様はコントローラ、マイクロプロセッサ、または他のコンピューティングデバイスによって実行されうるファームウェアまたはソフトウェアとして実装されてもよいが、本発明はこれらに限定されない。本発明における例示的実施形態の種々の態様はブロック図、フローチャート、または他の図的表現によって図示および説明される。本明細書に記載するこれらのブロック、装置、システム、技術、または方法は、非限定的な例として、ハードウェア、ソフトウェア、ファームウェア、特定用途向け回路やロジック、汎用のハードウェア、コントローラ、他のコンピューティングデバイス、またはそれらの組合せとして実装されてもよいと理解されるべきである。
【００４４】
したがって、本発明における例示的実施形態の少なくともいくつかの態様は、集積回路のチップやモジュールなどの様々な構成要素として実施してもよく、本発明の例示的実施形態は、集積回路として体現される装置として実現されてもよいことを理解されたい。１つまたは複数の集積回路は、本発明の例示的実施形態に従って動作するように構成できる１つまたは複数のデータプロセッサ、１つまたは複数のデジタル信号プロセッサ、ベースバンド回路構成、および無線周波数回路構成、の少なくとも１つ以上を体現するための回路構成、および場合によってはファームウェアを含んでもよい。
【００４５】
こうした前述の説明を、添付する図面と併せて考慮すれば、本発明における前述の例示的実施形態に対する種々の改変および適応が可能であることは、本願に関連する技術分野の当業者には明らかであろう。例えば、前記において、５Ｇ  ＮＲシステムの拡張に関する文脈で例示的実施形を説明したが、本発明の例示的実施形態は、この特定のタイプのワイヤレス通信システムにおける利用だけに限定されない。本明細書に示した本発明の例示的実施形態は説明のためのものであり、網羅的でも、本発明の範囲を限定するものでもない。
【００４６】
前記の説明において、以下の略語を用いている。
ｍ−ＭＩＭＯ  （Massive Multiple-Input Multiple Output）  大規模多入力多出力
ＳＲＳ  （Sounding Reference Signal）  サウンディング参照信号
ＢＳ  （Base Station）  基地局
ｇＮＢ  ｇＮｏｄｅ−Ｂ
ＵＥ  （User Equipment）  ユーザ装置
ＲＳＲＰ  （Reference Signal Received Power）  参照信号受信電力
ＳＣ−ＦＤＭＡ  （Single Carrier Frequency Division Multiple Access）
シングルキャリア周波数分割複数アクセス
ＣＰ−ＯＦＤＭ  （Cyclic Prefix Orthogonal Frequency Division Multiplexing）  巡回プレフィックス直交周波数分割多重化
ＯＦＤＭ  （Orthogonal Frequency Division Multiplex）  直交周波数分割多重化
ＰＡＰＲ  （Peak to Average Power Ratio）  ピーク対平均電力比
ＣＳＩ  （Channel State Information）  チャネル状態情報
【００４７】
本明細書で使用される用語は、特定の実施形態を説明するためのみのものであり、本発明を限定することを意図するものではない。「含む」および／または「含んでいる」という用語は、本明細書において用いる場合、記載した特徴、整数、ステップ、操作、要素、および／または構成要素が存在することを規定するものであるが、１つ以上の他の特徴、整数、ステップ、操作、要素、構成要素、および／またはそれらのグループの存在または追加を排除するものではない。
【００４８】
本発明の説明は、例示および説明のために提示したが、網羅的であること、または開示された形態の本発明に限定することを意図するものではない。本発明の範囲および趣旨から逸脱することなく、多くの改変および変形が当業者に明らかとなるであろう。本発明の原理および実際の応用例を最良に説明するために、および企図される具体的な使用に適するような様々な改変を伴う様々な実施形態について、他の当業者が本発明を理解できるようにするために、実施形態を選び、説明した。
【００４９】
こうした前述の説明を、添付する図面と併せて考慮すれば、種々の改変および適応が可能であることは、本願に関連する技術分野の当業者には明らかであろう。さらに、本開示が教示する事項のあらゆる改変は、そのすべてが本発明の非限定的な実施形態の範囲内にある。
【００５０】
特定の実施形態との関連において説明したが、当業者には、これらの教示に対する数多くの改変および様々な変更を行えることが明らかであろう。したがって、本発明の１つ以上の実施形態に関連して本発明を具体的に示し説明したが、当業者であれば、上述したような本発明の範囲または以下の特許請求の範囲から逸脱することなく本発明に一定の改変または変更を行えることを理解するであろう。
【図１】
0006879635.tif 000003
【図２】
0006879635.tif 000004
【図３Ａ】
0006879635.tif 000005
【図３Ｂ】
0006879635.tif 000006
【図４】
0006879635.tif 000007
【図５】
0006879635.tif 000008
【図６】
0006879635.tif 000009